【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
データネットワークにおいて断片化したデータグラムを処理する方法であって、
複数の断片として送信されたデータグラムのうちの少なくとも１つの断片を格納することと、
前記複数の断片で伝送された少なくとも１つのフィルタパラメータを判定することと、
前記データグラムのうちの、更なる断片が受信されると、これら更に受信された断片を、前記少なくとも１つのフィルタパラメータに基づいて処理することと、
前記処理されたデータグラムの断片を、バッファすることなくルーティングすることと
を備える方法。
【請求項２】
経過時間の後、前記複数の断片から、前記格納された断片を消去することを更に備える請求項１に記載の方法。
【請求項３】
前記経過時間は、前記前記格納された断片の各々について追跡される請求項２に記載の方法。
【請求項４】
前記少なくとも１つのフィルタパラメータが判定される前に受信された前記複数の断片のうち、受信された何れかの断片を格納することを更に備える請求項１に記載の方法。
【請求項５】
前記少なくとも１つのフィルタパラメータが判定される前に受信された断片を、前記少なくとも１つのフィルタパラメータに基づいて処理することを更に備える請求項１に記載の方法。
【請求項６】
前記少なくとも１つのフィルタパラメータは、前記複数の断片のうちの１又は複数の断片で伝送される請求項１に記載の方法。
【請求項７】
前記複数の断片における最初の断片が受信されると、前記データグラムのためのルーティングテーブルエントリを生成することを更に備える請求項１に記載の方法。
【請求項８】
前記複数の断片における最後の断片が受信されると、前記データグラムのためのルーティングテーブルエントリを削除することを更に備える請求項７に記載の方法。
【請求項９】
データネットワークにおいて断片化したデータグラムを処理する装置であって、
複数の断片として送信されたデータグラムのうちの少なくとも１つの断片を格納する手段と、
前記複数の断片で伝送された少なくとも１つのフィルタパラメータを判定する手段と、
前記データグラムのうちの、更なる断片が受信されると、これら更に受信された断片を、前記少なくとも１つのフィルタパラメータに基づいて処理する手段と、
前記処理されたデータグラムの断片を、バッファすることなくルーティングする手段と
を備える装置。
【請求項１０】
経過時間の後、前記複数の断片から、前記格納された断片を消去する手段を更に備える請求項９に記載の装置。
【請求項１１】
前記経過時間は、前記格納された断片の各々について追跡される請求項１０に記載の装置。
【請求項１２】
前記少なくとも１つのフィルタパラメータが判定される前に受信された前記複数の断片のうち、受信された何れかの断片を格納する手段を更に備える請求項９に記載の装置。
【請求項１３】
前記少なくとも１つのフィルタパラメータが判定される前に受信された断片を、前記少なくとも１つのフィルタパラメータに基づいて処理する手段を更に備える請求項９に記載の装置。
【請求項１４】
前記少なくとも１つのフィルタパラメータは、前記複数の断片のうちの１又は複数の断片で伝送される請求項９に記載の装置。
【請求項１５】
前記複数の断片における最初の断片が受信されると、前記データグラムのためのルーティングテーブルエントリを生成する手段を更に備える請求項９に記載の装置。
【請求項１６】
前記複数の断片における最後の断片が受信されると、前記データグラムのためのルーティングテーブルエントリを削除する手段を更に備える請求項１５に記載の装置。
【請求項１７】
機械読取可能媒体を備えた、通信のためのコンピュータ・プログラム製品であって、
前記機械読取可能媒体は、
複数の断片として送信されたデータグラムのうちの少なくとも１つの断片を格納し、
前記複数の断片で伝送された少なくとも１つのフィルタパラメータを判定し、
前記データグラムのうちの、更なる断片が受信されると、これら更に受信された断片を、前記少なくとも１つのフィルタパラメータに基づいて処理し、
前記処理されたデータグラムの断片を、バッファすることなくルーティングする
ように実行可能な命令群を備えるコンピュータ・プログラム製品。
【請求項１８】
前記機械読取可能媒体は、経過時間の後、前記複数の断片から、前記格納された断片を消去する命令群を更に備える請求項１７に記載のコンピュータ・プログラム製品。
【請求項１９】
前記経過時間は、前記格納された断片の各々について追跡される請求項１８に記載のコンピュータ・プログラム製品。
【請求項２０】
前記少なくとも１つのフィルタパラメータが判定される前に受信された前記複数の断片のうち、受信された何れかの断片を格納するように実行可能な命令群を更に備える請求項１７に記載のコンピュータ・プログラム製品。
【請求項２１】
前記機械読取可能媒体は、前記少なくとも１つのフィルタパラメータが判定される前に受信された断片を、前記少なくとも１つのフィルタパラメータに基づいて処理するように実行可能な命令群を更に備える請求項１７に記載のコンピュータ・プログラム製品。
【請求項２２】
前記少なくとも１つのフィルタパラメータは、前記複数の断片のうちの１又は複数の断片で伝送される請求項１７に記載のコンピュータ・プログラム製品。
【請求項２３】
前記機械読取可能媒体は、前記複数の断片における最初の断片が受信されると、前記データグラムのためのルーティングテーブルエントリを生成するように実行可能な命令群を更に備える請求項１７に記載のコンピュータ・プログラム製品。
【請求項２４】
前記機械読取可能媒体は、前記複数の断片における最後の断片が受信されると、前記データグラムのためのルーティングテーブルエントリを削除するように実行可能な命令群を更に備える請求項２３に記載のコンピュータ・プログラム製品。
【請求項２５】
データネットワークにおいて断片化したデータグラムを処理する装置であって、
プロセッサと、
前記プロセッサに結合されたトランシーバと、
前記プロセッサに結合されたメモリとを備え、前記メモリは、前記プロセッサに、
複数の断片として送信され、前記トランシーバにおいて受信されたデータグラムのうちの少なくとも１つの断片を格納させ、
前記複数の断片で伝送された少なくとも１つのフィルタパラメータを判定させ、
前記データグラムのうちの、更なる断片が受信されると、これら更に受信された断片を、前記少なくとも１つのフィルタパラメータに基づいて処理させ、
前記処理されたデータグラムの断片を、バッファすることなくルーティングさせる
ように構成された装置。
【請求項２６】
前記メモリは、前記プロセッサに、経過時間の後、前記複数の断片から、前記格納された断片を消去させるように更に構成された請求項２５に記載の装置。
【請求項２７】
前記経過時間は、前記格納された断片の各々について追跡される請求項２６に記載の装置。
【請求項２８】
前記メモリは、前記プロセッサに、前記少なくとも１つのフィルタパラメータが判定される前に受信された前記複数の断片のうち、受信された何れかの断片を格納させるように更に構成された請求項２５に記載の装置。
【請求項２９】
前記メモリは、前記プロセッサに、前記少なくとも１つのフィルタパラメータが判定される前に受信された断片を、前記少なくとも１つのフィルタパラメータに基づいて処理させるように更に構成された請求項２５に記載の装置。
【請求項３０】
前記少なくとも１つのフィルタパラメータは、前記複数の断片のうちの１又は複数の断片で伝送される請求項２５に記載の装置。
【請求項３１】
前記メモリは、前記プロセッサに、前記複数の断片における最初の断片が受信されると、前記データグラムのためのルーティングテーブルエントリを生成させるように更に構成された請求項２５に記載の装置。
【請求項３２】
前記メモリは、前記プロセッサに、前記複数の断片における最後の断片が受信されると、前記データグラムのためのルーティングテーブルエントリを削除するように更に構成された請求項３１に記載の装置。